(57)【特許請求の範囲】
【請求項１】
少なくとも第１の領域および第２の領域を含む電子ディスプレイに表示される少なくとも１つの画像を更新する方法であって、前記第１の領域は第１の複数のラインを有し、前記第２の領域は第２の複数のラインを有し、前記更新は複数のフレームにそれぞれ従う前記第１および第２の領域の前記画素を駆動することを含み、前記方法は、
前記第１の領域の第１の端から前記第２の領域の第２の端まで前記領域の前記ラインを走査することによって、第１のフレームに従い前記第１および第２の領域の前記画素を駆動し、前記第２の端は前記第１の端と前記走査の方向に沿って対向するステップと、
前記第１の端から前記第２の端まで前記領域の前記ラインを走査することによって、第２のフレームに従い前記第１および第２の領域の前記画素を駆動するステップと、を含み、
前記第１および第２の領域の前記第１の端から前記第２の端までの走査は個々のラインを連続して走査することを含み、前記第１および第２の複数のラインのすべてのラインは前記連続した走査の間に順番に選択され、
前記走査は、前記第１のフレームの時間の間に、前記第１のフレームに従い前記第１の領域を更新することを含み、前記第２の領域に更新はなく、
前記走査は、前記第２のフレームの時間の間に、前記第１のフレームに従い前記第２の領域を更新する間に前記第２のフレームに従い前記第１の領域を更新することを含み、前記第１のフレームに従う前記走査が前記第２の端に到達する前に前記第２のフレームに従う前記走査が始まるようにし、
前記第１および第２の領域は、ディスプレイ媒体の単一のモノリシック層を駆動するように構成されたそれぞれのバックプレーン領域を含む方法。
【請求項２】
複数のフレームのそれぞれに従う前記第１および第２の領域の前記画素の前記駆動は、複数のフレームのそれぞれに従い前記画素を順番に駆動して単一の画像の更新を実行することを含む請求項１に記載の方法。
【請求項３】
前記第１および第２の領域は、実質的に隣接し、好ましくは、前記第１の端から第２の端まで前記走査の方向に沿って実質的に整列した請求項１に記載の方法。
【請求項４】
前記第１および第２の領域は、物理的に分離している請求項１から３のいずれか１つに記載の方法。
【請求項５】
前記電子ディスプレイは、液晶ディスプレイ、ＬＥＤディスプレイ、プラズマディスプレイ、またはエレクトロウェッティングディスプレイのような電子ペーパーディスプレイである請求項１から４のいずれか１つに記載の方法。
【請求項６】
請求項１から４のいずれか１つに記載の方法を実行するように動作可能になるようにプログラム可能な処理装置をプログラムするようなコンピュータプログラム命令を格納した記憶媒体。
【請求項７】
少なくとも第１の領域および第２の領域を含む電子ディスプレイであって、前記第１の領域は第１の複数のラインを有し、前記第２の領域は第２の複数のラインを有し、前記電子ディスプレイは複数のフレームのそれぞれに従い前記第１および第２の領域の前記画素を駆動するように構成されるドライバを含み、上記の電子ディスプレイは、
前記ドライバが、前記第１および第２の複数のラインを第１の端から第２の端まで走査すると共に第１の前記フレームに従い前記第１の複数のラインおよび前記第２の複数のラインの前記画素を駆動し、前記第１および第２の複数のラインを前記第１の端から前記第２の端まで走査すると共に第２の前記フレーム従い前記第１および第２の複数のラインの前記画素を駆動するように構成され、前記第１の端は前記第１の領域の端であり、前記第２の端は、前記第２の領域の端であり、前記第１の端は前記走査の方向に沿って前記第２の端に対向することを含み、
前記ドライバは、前記第１および第２の領域の前記第１の端から前記第２の端までラインを連続して走査し、前記第１および第２の複数のラインのすべてのラインが前記連続した走査の間に順番に選択されるように構成され、前記第１および第２の領域の前記第１の端から前記第２の端までのラインの走査は個々のラインを連続して走査することを含み、前記第１および第２の複数のラインのすべてのラインは前記連続した走査の間に順番に選択され、
前記第１のフレームの時間の間に、前記第１のフレームに従い前記第１の領域を更新し、前記第２の領域に更新はなく、
前記第２のフレームの時間の間に、前記第１のフレームに従い前記第２の領域を更新する間に前記第２のフレームに従い前記第１の領域を更新し、前記第２のフレームに従い前記画素を駆動する前記走査は前記第１のフレームに従う前記画素の駆動が前記第２の端に到達する前に始まり、
前記ディスプレイは、ディスプレイ媒体の単一のモノリシック層を駆動するように構成された第１および第２のバックプレーン領域を含む電子ディスプレイ。
【請求項８】
前記ドライバは、複数のフレームのそれぞれに従い前記第１および第２の領域の前記画素を駆動して単一の画像の更新を実行するように構成された請求項７に記載の電子ディスプレイ。
【請求項９】
前記第１および第２の領域は、実質的に隣接し、好ましくは、前記走査の方向に沿って前記第１の端から前記第２の端まで実質的に整列された請求項７に記載の電子ディスプレイ。
【請求項１０】
第１および第２の領域は、物理的に分離している請求項７または８に記載の電子ディスプレイ。
【請求項１１】
前記電子ディスプレイは、液晶ディスプレイ、ＬＥＤディスプレイ、プラズマディスプレイ、またはエレクトロウェッティングディスプレイのような電子ペーパーディスプレイである請求項７から１０のいずれか１つに記載の電子ディスプレイ。
【請求項１２】
好ましくは、前記デバイスは、電子文書リーダーである請求項７から１１のいずれか１つに記載の電子ディスプレイ。
【請求項１３】
少なくとも第１の領域および第２の領域を含むディスプレイを有する電子デバイスであって、前記第１の領域は第１の複数のラインを有し、前記第２の領域は第２の複数のラインを有し、前記電子デバイスは複数のフレームのそれぞれに従い前記第１および第２の領域の前記画素を駆動し、前記ディスプレイに表示された画像の単一の画像の更新を実行するように構成されたドライバを含み、
前記ドライバは、第１の端から第２の端まで前記第１および第２の複数のラインを走査する間に第１のフレームに従い前記第１および第２の複数のラインの前記画素を駆動し、前記第１の端から前記第２の端まで前記第１および第２の複数のラインを走査する間に第２のフレームに従い前記第１および第２の複数のラインの前記画素を駆動するように構成され、前記第１の端は前記第１の領域の端であり、前記第２の端は前記第２の領域の端であり、前記第２の端は前記走査の方向に沿って前記第１の端に対向し、
前記ドライバは、前記第１および第２の領域の前記第１の端から前記第２の端までラインを連続して走査し、前記第１および第２の複数のラインのすべてのラインが前記連続した走査の間に順番に選択されるように構成され、前記第１および第２の領域の前記第１の端から前記第２の端までのラインの前記走査は個々のラインを連続して走査することを含み、前記第１および第２の複数のラインのすべてのラインは前記連続した走査の間に順番に選択され、
前記第１のフレームの時間の間に、前記第１のフレームに従い前記第１の領域を更新し、前記第２の領域に更新はなく、
前記第２のフレームの時間の間に、前記第１のフレームに従い前記第２の領域を更新する間に前記第２のフレームに従い前記第１の領域を更新し、前記第２のフレームに従い前記画素を駆動する前記走査は前記第１のフレームに従う前記画素の駆動が前記第２の端に到達する前に始まり、
前記ディスプレイは、ディスプレイ媒体の単一のモノリシック層を駆動するように構成された第１および第２のバックプレーン領域を含み、
前記ドライバは前記ディスプレイにパルス幅変調（ＰＷＭ）駆動を提供するように構成され、前記ＰＷＭ駆動は複数の連続的なディスプレイフレームを通じて調整されて画像を更新する電子デバイス。
【発明の詳細な説明】
【技術分野】
【０００１】
この発明は、例えば分割全面バックプレーンの複数のバックプレーン領域を使用して単一のディスプレイ画面を形成する技術に関し、特にディスプレイ媒体は電気泳動によるものであるが、これに限定されない。この技術の実施形態は、特に電子文書リーディングデバイスに有用である。より具体的には、この発明は、電子ディスプレイに表示された画像を更新する方法、電子ディスプレイ、および電子デバイスに関する。
【背景技術】
【０００２】
電気泳動ディスプレイ画面は、一般に薄いおよび／または不揮発性のディスプレイを提供することができるため、電子リーディング装置には多くの点で有利である。電気泳動ディスプレイ媒体は、電気泳動媒体の背後にあるバックプレーンにより駆動されることができる。いくつかの好適な装置において、バックプレーンは溶液ベースの薄膜トランジスタ（ＴＦＴ）を用いて製造され、好ましくは直接描画印刷、レーザーアブレーションまたはフォトリソグラフィのような技術によってパターンが形成される。詳しくは、特に、国際公開第０１／４７０４５号、国際公開第２００４／０７０４６６号、国際公開第０１／４７０４３号、国際公開第２００６／０５９１６２号、国際公開第２００６／０５６８０８号、国際公開第２００６／０６１６５８号、国際公開第２００６／１０６３６５号（４層または５層の画素構造を記載する）およびＰＣＴ／ＧＢ２００６／０５０２６５を含む出願人の先の特許出願に開示され、参照によって、これら全体がこの明細書に組み込まれる。したがって、実施形態において、ＴＦＴは、有機半導体材料、例えば溶液処理可能な共役重合材料またはオリゴマー材料を含み、実施形態において、ディスプレイ画面、特にバックプレーンは、溶液堆積に適し、例えば溶液処理重合体および真空蒸着された金属を含む。
【０００３】
電気泳動ディスプレイ画面の画像の更新によって、前の画像のかすかな痕跡が残って見える「ゴースト」が現れることがある。このような痕跡は、画面を数回にわたって更新することによって回避したり低減したりすることができ、例えば、最初にフレームの各画素を白に設定し、次いでフレームの各画素を黒に設定し、それから所望の画像の色／グレイレベルについて他のフレームを適用できる。このようなディスプレイ画面が例えば独立したディスプレイパネルを組み合わせた分割バックプレーンを有する場合、分割バックプレーン領域を並行して更新し、連続したフレームを含む更新をより素早く実行できるようにすることが望ましい。しかし、分割バックプレーンによる効果は、この場合、人間の目に視覚的に知覚されることがある。
【０００４】
例えば、電子リーディングデバイスは、実際、互いに当接されて単一の大きなものを作成するようにされた２つ以上の物理的に独立なディスプレイパネルを含むことがある。対応する２つ以上のバックプレーンを有するこのようなリーダーデバイスにおいて、マルチディスプレイパネル構造による効果は、ユーザにデバイスが１つより多いディスプレイパネルを含むという事実を示し、ユーザに望ましくない視覚の邪魔をするものをもたらすことがある。
【０００５】
したがって、電子リーディングデバイスの分野において、分割全面バックプレーンを含む改良されたディスプレイ画面が求められている。このような改良は、視覚的により快適なリーダーの体験を生成し、および／または画面の信頼性を改良し、好ましくは画面の物理的に独立なディスプレイパネル間の不整合を回避または低減するような１以上の利益を有することができ、このような不整合は、例えば信頼性を低下させ、および／または望ましくない視覚的な性能の問題をもたらすことがある。
【０００６】
他のデバイスは、ＵＳ２００５／０２７５６４５（Ｖａｓｔｖｉｅｗ  Ｔｅｃｈ  Ｉｎｃ）ＵＳ２００６／０２７９４８９（Ｈｉｔａｃｈｉ  Ｌｔｄ）、ＥＰ１６７７２７６（ＬＧ  Ｐｈｉｌｉｐｓ  ＬＣＤ  ｃｏ  Ｌｔｄ）、特開２００１−０２１８６５号公報（松下電器産業株式会社）、ＵＳ５８８９５６８（Ｒａｉｎｂｏｗ  Ｄｉｓｐｌａｙｓ  Ｉｎｃ）から公知である。
【発明の概要】
【０００７】
本発明の第１の態様によれば、複数の領域を含む電子ディスプレイに表示される少なくとも１つの画像を更新する方法は、前記領域のそれぞれは、複数の画素のラインを含み、前記ディスプレイは少なくとも第１の前記領域および第２の前記領域を含み、前記第１の領域は第１の前記複数のラインを有し、前記第２の領域は第２前記複数のラインを有し、前記更新は複数のフレームのそれぞれに従う前記第１および第２の領域の前記画素を駆動することを含み、前記方法は、前記領域の一端から前記領域の対向端まで前記領域の前記ラインを走査することによって、第１の前記フレームに従い前記第１および第２の領域の前記画素を駆動し、前記一端は前記第１の領域の端であり、前記対向端は前記第２の領域の端であり、前記第２の端は前記走査の方向に沿って前記第１の端に対向するステップと、前記領域の前記一端から前記領域の前記対向端まで前記領域の前記ラインを走査することによって、第２の前記フレームに従い前記第１および第２の領域の前記画素を駆動し、第２のフレームに従う前記走査は、第１のフレームに従う前記走査が前記対向端に到達する前に始まるステップとを含む。
【０００８】
前記領域のそれぞれは、バックプレーン領域を含み、ディスプレイ媒体の対応する領域をさらに含むことができる。実施形態のバックプレーン領域は、物理的に分離していてもよいし、全面パックプレーン内に統合されていてもよい。例えば、バックプレーン領域は、例えば図７に示すように当接されることができる。同様に、実施形態のこのようなディスプレイ媒体領域は、物理的に分離していても、全体的なディスプレイ媒体構成要素、例えばディスプレイ媒体の１つのシート内に統合されていてもよい。実施形態において、前記領域は、２つのディスプレイパネルを接続することにより提供されることができ、それぞれはバックプレーンおよびディスプレイ媒体を含んでいる。
【０００９】
複数のフレームのそれぞれに従う第１および第２の領域の前記画素の駆動は、単一の画像の更新を実行することができ、好ましくは、画素を駆動することは、順番に複数のフレームのそれぞれに従うことを含む。
【００１０】
ディスプレイの実施形態は、液晶ディスプレイ、ＬＥＤディスプレイ、プラズマディスプレイ、または、例えば、電気泳動ディスプレイ媒体を含む、またはエレクトロウェッティングタイプの電子ペーパーディスプレイであってもよい。このような実施形態において、画素はバックプレーン上のトランジスタおよび／または記憶コンデンサの位置により規定されることができる。（この明細書の全体にわたって、ディスプレイという用語は、一般に、排他的にまたは他の構成要素の間のいずれかに、少なくともバックプレーンおよびディスプレイ媒体を含むディスプレイ画面を含む装置を参照する）。
【００１１】
有利なことに、この方法は、複数の領域が画像に及ぼす視覚的な効果を低減するかまたは除去することができ、例えば、２つのバックプレーンは互いに当接されて隣接し、さもなければ、領域間の接合の存在は画像を見るユーザによって、直ちに検出可能である。このような効果は、第２のフレームに従い駆動を開始するところで第１の領域の走査の後で第１のフレームに従う駆動が第２の領域の走査を始めるときに向上されてもよい。好ましくは、第１および第２のフレーム従う駆動は同期され、予め定められた時間間隔が第１のフレームに従う駆動および第２のフレームに従う駆動の間で、同様にいかなるさらなるフレーム、例えば、第２および第３のフレーム、その他の駆動の間に起こるようにする。
【００１２】
方法は、さらに提供され、前記第１および第２の領域は、実質的に隣接し、前記走査の方向に沿って前記一端から前記対向端まで実質的に整列している。
【００１３】
方法は、さらに提供され、第１および第２の領域は物理的に分離している。
【００１４】
方法は、さらに提供され、ディスプレイは、少なくとも２つのバックプレーン領域で形成されたバックプレーン層であって、１つ以上のディスプレイ媒体がバックプレーン領域上に配置されるものを含む。
【００１５】
方法は、さらに提供され、前記第１および第２の領域は、ディスプレイ媒体の単一のモノリシック層を駆動するように構成されたそれぞれのバックプレーン領域を含む。
【００１６】
方法は、さらに提供され、前記電子ディスプレイは、液晶ディスプレイ、プラズマディスプレイ、または好ましくは電気泳動またはエレクトロウェッティングディスプレイ媒体を含む電子ペーパーディスプレイである。
【００１７】
記憶媒体は、プログラム可能な処理装置をプログラムするコンピュータプログラム命令を格納し、前記請求項のいかなる方法も実行するように動作可能にすることができる。
【００１８】
信号は、プログラム可能な処理装置をプログラムするコンピュータプログラム命令を運び、前記請求項のいかなる方法も実行するように動作可能にすることができる。
【００１９】
例えば、コンピュータプログラムを格納している上記の記憶媒体またはコンピュータプログラム命令を運んでいる信号の実施形態は、プロセッサ制御コードを提供し、例えば組込プロセッサに上記の方法を実装するようにする。
【００２０】
コードは、ディスク、ＣＤ−ＲＯＭまたはＤＶＤ−ＲＯＭ、リードオンリーメモリ（ファームウェア）またはスタティックＲＡＭ（ＳＲＡＭ）またはダイナミックＲＡＭ（ＤＲＡＭ）のようなプログラムされたメモリの形態の記憶媒体のようなキャリア、または光または電気信号のデータキャリアに提供されることができる。
【００２１】
本発明の実施形態を実現するコード（および／またはデータ）は、Ｃのような従来のプログラミング言語（インタプリタまたはコンパイル）のソース、オブジェクトまたは実行コード、またはアセンブリコード、ＡＳＩＣ（特定用途向け集積回路）またはＦＰＧＡ（フィールド・プログラマブル・ゲート・アレイ）のセットアップまたは制御のためのコード、またはＶｅｒｉｌｏｇ（商標）またはＶＨＤＬ（超高速集積回路設計用ハードウェア記述言語）のようなハードウェア説明言語のためのコードを含むことができる。当業者は、このようなコードおよび／またはデータが、互い通信して結合される複数の構成要素間に分配できることを認めるであろう。
【００２２】
本発明の第二態様によれば、複数の領域を含む電子ディスプレイが提供され、前記領域のそれぞれは画素の複数のラインを含み、前記ディスプレイ少なくとも第１の前記領域および第２の前記領域を含み、前記第１の領域は第１の前記複数のラインを有し、前記第２の領域は第２の前記複数のラインを有し、電子ディスプレイは複数のフレームのそれぞれに従う前記第１および第２の領域の前記画素を駆動するように構成されるドライバを含み、電子ディスプレイは、前記第１および第２の複数のラインを第１の端から第２の端へ走査すると共に第１の前記フレームに従い前記第１の複数のラインおよび前記第２の複数のラインの前記画素を駆動し、前記第１および第２の複数のラインを前記第１の端から前記第２の端へ走査すると共に第２の前記フレームに従い前記第１および第２の複数のライン前記画素を駆動するように構成された前記ドライバを含み、前記第１の端は前記第１の領域の端であり、前記第２の端は前記第２の領域の端であり、前記第２の端は前記走査の方向に沿って前記第１の端に対向し、前記ドライバは、第１のフレームに従い画素を駆動すると共に前記走査が前記対向端に到達する前に、第２のフレーム従い画素を駆動すると共に前記走査を開始するように構成されている。
【００２３】
実施形態において、ドライバは、複数のフレームのそれぞれに従い第１および第２の領域の画素を駆動して単一の画像の更新を実行するように構成されることができる。
【００２４】
電子ディスプレイは、さらに提供され、前記第１および第２の領域は実質的に隣接し、前記走査の方向に沿って前記一端から前記対向端まで実質的に整列している。
【００２５】
電子ディスプレイは、さらに提供され、第１および第２の領域は物理的に分離している。
【００２６】
電子ディスプレイは、さらに提供され、ディスプレイは、少なくとも２つのバックプレーン領域が形成されたバックプレーン層、およびバックプレーン領域上に１つ以上のディスプレイ媒体シートが配置されたものを含む。
【００２７】
電子ディスプレイは、さらに提供され、前記ディスプレイは、ディスプレイ媒体の単一のモノリシック層を駆動するように構成された第１および第２のバックプレーン領域を含む。
【００２８】
電子ディスプレイは、さらに提供され、前記電子ディスプレイは、液晶ディスプレイ、ＬＥＤディスプレイ、プラズマディスプレイ、エレクトロウェッティング媒体であり、または電気泳動表示ディスプレイを含む。
【００２９】
電子デバイスは電子ディスプレイを含み、好ましくは、前記デバイスは電子文書リーダーである。
【００３０】
第３の本発明の態様に従い、複数の領域を含むディスプレイを有する電子デバイスが提供され、前記領域のそれぞれは画素の複数のラインを含み、前記ディスプレイは少なくとも第１の前記領域および第２の前記領域を含み、前記第１の領域は第１の前記複数のラインを有し、前記第２の領域は第２の前記複数のラインを有し、前記電子デバイスは複数のフレームのそれぞれに従い前記第１および第２の領域の前記画素を駆動して前記ディスプレイに表示された画像の単一の画像の更新を実行するように構成されたドライバを含み、前記ドライバは前記ディスプレイにパルス幅変調（ＰＷＭ）駆動を提供するように構成され、前記ＰＷＭ駆動は画像を更新するように複数の連続的なディスプレイフレームを通じて調整される。しかし、他の実施形態において、ＰＷＭ以外の駆動スキームを使用できる。
【００３１】
それぞれ、３つの他の本発明の態様に従い、本願明細書に記載され、好ましくは本願明細書に記載されるとともに図で説明される電子ペーパーディスプレイ画面に表示される画像を更新する方法と、本願明細書に記載され、好ましくは記載されるとともに図面で説明される電子ペーパーディスプレイ画面と、本願明細書に記載され、好ましく本願明細書に記載されるとともに図で説明される電子文書リーダーとがそれぞれ提供される。
【００３２】
いかなる数の上記の態様も、好ましい実施形態の任意の特徴のいかなる１つ以上の有無にかかわらず、いかなる置換にもおいて結合されることができる。好ましい実施例は、添付の従属クレームにおいて、規定される。
【図面の簡単な説明】
【００３３】
本発明のより良い理解のために、そして、発明がどのように効果をもたらすことができるかについて示すために、例として添付の図面が参照される。
【図１】図１は、「シャッタを上げる／降ろす」という原則を示している。
【図２】図２は、「カーテンを開く／閉じる」という原則を示している。
【図３】図３は、「シャッタを降ろす」のタイミング図を示している。
【図４】図４は、「カーテンを開く」のタイミング図を示している。
【図５】図５は、疑似モノリシック更新タイミング図を示している（図１〜４のように、２つの領域の間の境界は、ライン４８０および４８１の間に示されている。）。
【図６】図６（ａ）〜（ｃ）は、本発明の１つの実施例による電子ペーパーディスプレイ画面の正面のディスプレイ面図、背面図および垂直断面図をそれぞれ示している。
【図７】図７は、図６のディスプレイ画面のさらなる詳細を示し、ディスプレイ画面は前後の側の間にディスプレイ媒体の単一の層および当接されたバックプレーンを含んでいる。
【図８】図８は、図６（ａ）〜（ｃ）の電子ペーパーディスプレイ画面のディスプレイ部分についての詳細な垂直断面を示している。
【図９】図９は、電子ペーパーディスプレイ画面を含む電子文書リーダーの制御エレクトロニクスを含むシステムの概略ブロック図を示している。
【図１０】図１０は、実施形態の一例の擬似モノリシックディスプレイ画像更新方法の概略フロー図を示している。
【発明を実施するための形態】
【００３４】
以下は、一般に複数部分からなるディスプレイの疑似モノリシック更新スキームに関し、一般にマルチフレーム（サブフレームとも称されることがある）を要する電気泳動ディスプレイ媒体を使用する実施形態に焦点を合わせ、単一の画像の更新を達成するようにする。しかし、実施形態は、これに代わって、ＬＣＤディスプレイ、ＬＥＤディスプレイ、プラズマディスプレイ、またはエレクトロウェッティングディスプレイのような様々なタイプの電子ペーパーディスプレイに適用されることもできる。このようなディスプレイは、いずれも２つの領域を含むことがあり、実施形態が有利に適用され、単一フレームまたはマルチフレームに単一の画像の更新を達成するように求めることができる。
【００３５】
さらに、以下は、一般に２つのバックプレーン領域、すなわち全面バックプレーンの２つの半面を使用している実施形態に焦点を合わせる。しかし、擬似モノリシック更新の原則は、ライン走査、特に走査速度が遅いものを用いる２つ以上のサブディスプレイを含む他のディスプレイシステムを含むように拡張できる。したがって、本発明の原則は、２つ以上のバックプレーン領域を有する実施形態まで拡張されることができる。
【００３６】
バックプレーン領域および対応するディスプレイ媒体領域は、いかなるサイズであってもよい。さらに、より多い、またはより大きいバックプレーン領域および対応するディスプレイ媒体領域を使用することによって、より大きい全面デバイス、例えばＡ４またはレターサイズ（例えば標準の米国のレターサイズ）の電子文書リーダー、または沿道で広告を表示する広告看板を実現できる。
【００３７】
電子ペーパーディスプレイ画面の実施形態は、電気泳動ディスプレイ媒体、例えば電気泳動ディスプレイ画面を有する。このような実施形態において、画素は、バックプレーン上のトランジスタ（例えば薄膜トランジスタ（ＴＦＴ））および記憶コンデンサの位置により規定されることができる。
【００３８】
好ましい実施形態は、複数のバックプレーンおよび単一の電気泳動媒体を含むディスプレイにおいて、使われる。しかし、他の構成は、ディスプレイ媒体の他のいかなるタイプ、例えばエレクトロウェッティング、ＬＣＤ、ＬＥＤ、プラズマも使用することができ、また、カラー（例えばＲＧＢ）またはモノクロであってもよい。
【００３９】
実施形態の例は、単一のフロントプレーン媒体（例えば電子ペーパーの単一モノリシックシート）を有する１２８０×９６０ディスプレイ画面（例えば、約Ａ４サイズ：２１０×２９７ｍｍ、または標準の米国のレターサイズ：２１６×２７９ｍｍ）を使用する。しかし、実施形態は、組み合わされた２つの１２８０×４８０のバックプレーンを有し、上記の１２８０×９６０のディスプレイ画面に対応する全面バックプレーンを提供する。このような画面は、単一のより大きなものを作成するために互いに当接された２つの物理的に独立なディスプレイパネルとみなすことができる。
【００４０】
図６（ａ）から６（ｃ）は、フロントディスプレイ面１２およびリヤ面１４を有する電子ペーパーディスプレイ画面の実施形態を図解して説明する。
【００４１】
図７に示すように、ディスプレイ画面は、フロント側およびリヤ側の間に、単一の層のディスプレイ媒体（７１）、および２つ以上の当接されたトランジスタおよび画素コンデンサバックプレーン（７２）を含むことができる。参照番号７３は、基板および水分障壁層（図示せず）の存在に関する。同様に、参照番号７４は、任意の紫外線および水分障壁（図示せず）の存在に関する。
【００４２】
したがって、一般に図６の実施形態のディスプレイ領域における垂直断面は、有機または非有機トランジスタおよび画素コンデンサから成る２つ以上の部分のバックプレーンを有する電気泳動ディスプレイ画面を含むことができる。より多くの具体例において、このような実施形態は、図８に示すようであってもよい。
【００４３】
図８は、図６の実施形態のディスプレイ領域における垂直断面の例を示している。この図は、正確な縮尺ではない。図示されているように、断面は、例えばパースペックス（登録商標）からなる実質的に透明なフロントパネル１００を有し、それは構造部材として作用する。アクティブマトリックス画素ドライバ回路層１０６は、例えば国際公開第０１／４７０４５号において、開示された有機または非有機薄膜トランジスタの配列を含むことができる。このようなフロントパネルは必要でなく、十分な物理的な剛性は、例えば、水分障壁１０２、１１０の一方または両方と任意的に組み合わされる基板１０８により提供されることができる。
【００４４】
構造を説明する例は、基板１０８であって、典型的にはＰＥＴ（ポリエチレンテレフタレート）のようなプラスチックからなり、その上に有機アクティブマトリックス画素ドライバ回路の薄膜１０６が組み立てられたものを含む。薄膜１０６は、例えば第１または第２のバックプレーン領域のように全面パックプレーンの分割領域であってもよい。この薄膜の上には、例えば接着剤によって、電気泳動ディスプレイ１０４が取り付けられるが、有機ＬＥＤディスプレイ媒体または液晶ディスプレイ媒体のような追加または他のディスプレイ媒体も使うことができる。電子ディスプレイ１０４は、好ましくはその上に直接配置される共通の最上面（「最上面部材」、図８には図示せず）をさらに有することができる。好ましくは、この最上面は、低インピーダンスである。紫外線および／または水分障壁１０２は、電子ディスプレイ１０４の上に備えられ、例えば、ポリエチレンおよび／またはＡｃｌａｒ（商標）、フッ素重合体（ポリクロロトリフルオロエチレン−ＰＣＴＦＥ）であり、好ましくは、これは紫外線（紫外線）フィルタを組み込み、多くの適切な紫外線フィルタ機能プラスチック材料が商業的に入手できる。加えて、または代わって、接着剤の紫外線フィルタ機能層又は紫外線阻止層が、図８に示される層のうちのさらに１つの間に含まれることができる。水分障壁１１０は、また、好ましくは基板１０８の下に備えられ、この水分障壁は透明である必要がないことから、好ましくは水分障壁１１０はアルミニウム箔の層のような金属的な水分障壁を組み込む。これによって、水分障壁を薄くすることができ、それゆえに全体的な柔軟性が向上する。
【００４５】
層の近似例の厚みは、水分障壁１１０について１００μｍ、基板１０８について２００μｍ、アクティブ層１０６について５〜６μｍ、ディスプレイ１０４について１９０μｍ、水分障壁１０２について２００μｍである。層１０２〜１１０の組は、封止された電子ディスプレイ１１２を形成し、好ましくは、これは、例えば接着剤によって、透明ディスプレイパネル１００に結合される。フロントパネル１００は、０．５〜２ｍｍ、例えばほぼ１ｍｍの範囲の厚みを有することができる。
【００４６】
図８は、電子ペーパーディスプレイ画面を含む電子文書リーダーの制御エレクトロニクスを含むシステムの概略的なブロック図である。このブロック図は、電子文書リーダー１０に適する制御回路１０００の例を示している。この制御回路は、プロセッサ、作業メモリおよびプログラムメモリを含むコントローラ１００２であって、例えば制御１３０についてユーザインタフェース１００４に接続されるものを含んでいる。このコントローラは、また、例えば集積回路１２０により提供されるディスプレイインタフェース１００６によって、アクティブマトリックスドライバ回路１０６および電気泳動ディスプレイ１０４に接続される。したがって、コントローラ１００２は、ディスプレイ１０４に電子文書データを送り、任意的に、ディスプレイから接触覚データを受信することが可能である。電気泳動ディスプレイ１０４は、２つのバックプレーン「Ａ」および「Ｂ」を含んでいる。制御エレクトロニクスは、また、ディスプレイのための１以上の文書のデータ、任意的に、ユーザのブックマーク位置などのような他のデータを格納する例えばフラッシュメモリのような不揮発性メモリ１００８を含む。外部インターフェース１０１０は、例えば、ラップトップ、ＰＤＡ、またはモバイルまたは「スマート」フォン１０１４のような外部コンピュータデバイスにインターフェースを任意的に提供し、文書データを受信し、任意的に、ユーザのブックマークデータのようなデータを提供する。このようなインターフェースによって、コンテンツは例えば無線通信によって、得られ、および／またはコンテンツが公衆通信回線を経て遠隔サーバからダウンロードされることができるようになる。インターフェース１０１０は、例えばＵＳＢのような有線インターフェース、および／または例えばブルートゥース（商標）のような無線インターフェースを含み、そして、任意的に、電力を受信する誘導接続を含むことができる。後者の特徴は、デバイスの実施形態の物理的な電気接続を完全に省くこと可能にし、それゆえに、なかでも、より単純な物理的な構造、改善されたデバイスの美観、さらには水分に対する優れた耐性を促進する。充電式の電池１０１２または他の充電式の電源は、再充電のためにインターフェース１０１０に接続され、制御電子機器およびディスプレイに電源を供給する。
【００４７】
図８は、さらに、擬似モノリシックディスプレイの更新を実行するようにコントローラ１００２をプログラムするコンピュータプログラム命令を格納するディスクＡを示している。同様に、図８はこれらのコンピュータプログラム命令を運ぶ信号Ｂを示している。しかし、より典型的には、ディスクはこのために使用されることはなく、プログラムデータは、例えばＳＲＡＭのような不揮発性メモリ格納され、その後で必要に応じて例えばＤＲＡＭのようなより速い揮発性プログラムメモリ空間に読み込まれる。それにもかかわらず、ディスクＡおよび／またはキャリアＢは、表示されるコンテンツを提供し、および／またはコントローラ１００２に他のコンピュータプログラム命令を提供するために使用できる。
【００４８】
当業者は、広範囲にわたる機能についてのプロセッサ制御コードがプログラムメモリに保存されることを認めるであろう。例えば、簡単な文書ディスプレイの手順は、動作中に、ユーザ制御を知覚し、どの文書を更新するか決定し、不揮発性メモリから関連した文書の一部を読み、ページディスプレイに文書の読んだ一部を書くことを含むことができる。
【００４９】
１２８０のデータ列（ｃｏｌｕｍｎ）および９６０のデータ行（ｒｏｗ）からなるディスプレイ画面の実施形態においては、各列および行の組合せを選択して各画素にアクセスする。画素は、コンデンサへのゲートで制御された経路を提供する薄膜トランジスタ（ＴＦＴ）のようなトランジスタを含むことができ、コンデンサは付随したディスプレイ封止体のために電圧を保つように充電されている。列ライン（ゲートライン）はトランジスタのゲートへの経路を提供し、行ライン（ソースライン）はトランジスタのソースへの経路を提供する。信号は、列ラインに適用されることができ、選択された行の対応する画素を所望の色またはグレイレベル状態に更新する。
【００５０】
行の各画素が有する静電容量は、ラインアドレス時間（ＬＡＴ、典型的には数重マイクロ秒）にわたって画素に印加された電圧を維持する一方、残りの行はその後で走査される。換言すれば、データ列を経て画素に書き込まれるデータまたは電圧レベルは画素コンデンサにより保持され、画素コンデンサは、所望の色または色変化に応じて必要な特定の正、ゼロまたは負の画素電圧を典型的には数十ミリ秒の期間にわたって保持する。静電容量は、固有のディスプレイ画面の静電容量に固有または追加のものであることができ、例えば、ディスプレイ画面バックプレーンの一部でありえる。
【００５１】
各駆動波形位相の間の各ラインの周期的な走査は、典型的には、各画素コンデンサに新しい値を設定するか、または各静電容量に電荷を補給するために必要とされる。好ましくは、各静電容量は、フレームアドレス時間（ＦＡＴ）の継続期間にわたって、必要な充電状態を実質的に保持する。静電容量の電荷値は、ラインアドレス時間（ＬＡＴ）についてのみ補給または充電され、本実施形態において、ラインアドレス時間はＦＡＴの約１０００分の１である。しかし、双安定なディスプレイについて、この動作は、画素が必要な状態に到達した後で停止することがあり、これはいくつかの電気泳動の実施形態に該当することがある。
【００５２】
したがって、大まかに言って、フレームアドレス時間（ＦＡＴ）は、ディスプレイの波形を駆動するパルス幅変調（ＰＷＭ）のためのタイムスロットを定めることができ、換言すると、ＦＡＴは実施形態のＰＷＭ最小時間粒度に対応する。典型的なＦＡＴは、５〜４０  ｍｓの程度でありえる。各フレーム内において、ディスプレイ画面の各行は、順番に選択され、ディスプレイ画面の列ラインは、画素を現在の状態から更新された状態に移行させるように構成されたＰＷＭ波形により規定される電圧で駆動される。
【００５３】
上記のように、各画素は、電界効果トランジスタ（ＦＥＴ）、特に薄膜トランジスタ、画素に印加された電圧値を格納する画素コンデンサを含む付随した画素回路を有している。例えば、行選択ラインは画素トランジスタのゲート接続に連結されることができ、列ラインはソースまたはドレイン接続に連結されることができる。しかし、当業者は、他の切換構成が可能であり、例えば、選択されたラインがゲート接続ではなくドレイン／ソース接続に連結されることを認めるであろう。
【００５４】
当業者は、駆動波形の多くの例が使用できるであろうことを認めるであろう。この明細書は、例えば電気泳動のようないかなる種類のディスプレイを駆動するために使用できるいずれの特定の駆動波形の詳細にも関わらない。しかし、本発明の実施形態の動作を理解する助けとして、一例を概説することは有用である。したがって、例えば、ＰＷＭ駆動波形は３つの位相を有することができ、第１の位相においてはディスプレイの各画素の色またはグレイレベルが第１の中間ディスプレイ色または例えば「白」のようなグレイレベルに駆動され、第２の位相においては各画素の色またはグレイレベルが第２の中間ディスプレイ色または例えば「黒」のようなグレイレベルに駆動され、第３の位相においては画素のディスプレイ色またはグレイレベルが、最終的な所望の画像を形成するように、例えば白黒間のグレイスケールのような各所望のレベルに設定される。
【００５５】
電気泳動ディスプレイ画面がこのように駆動されることができる１つの理由は、画素の当初の色またはグレイレベルに（そして、おそらくその履歴にも）に応じて、第１の中間（「白」）レベルが明確に規定されていないためである。画素を初期状態から白それから黒（またはその逆）を経て最終状態にすることによって、第２の中間レベル（「黒」）から最終への明確な移行を達成できる。例えば、「白」にする第１の位相には、例えば＋１５ボルトが電圧を使用することができ、「黒」にする第２の位相には、例えば−１５ボルトの電圧を使用することができ、例えば、ライトグレイのディスプレイレベルにする第３の位相は、白を実現するために使用されるものと比べて短い期間にわたって例えば＋１５ボルトの電圧を使用できる（例えば１８０ｍｓに対する１２０ｍｓ）。当業者は、極性および電圧および中間のディスプレイレベル「色」が例示によって、のみ与えられることを認めるであろう。さらに、実施形態は、ディスプレイが２面からなる性質から発生するいかなる望ましくない視覚的効果も根絶するかまたは最小限に低減し、および／または更新によって、生じるディスプレイの２つの半面の間のいかなる不一致も回避するかまたは低減できる擬似モノリシックディスプレイ更新スキームを有している。このような不一致は、例えばディスプレイの２つの半面の間に現れている色（またはグレイレベル）差のような信頼性または性能の問題に至ることがある。
【００５６】
図５は、実施形態の擬似モノリシック更新スキーム実施のタイミング図である。この例では、更新には、ディスプレイの２つの半面のそれぞれについて６フレーム時間がかかる。しかし、組み合わされたディスプレイについての全面の更新には、７フレーム時間がかかる。他の例では、更新には６より多いまたは少ないフレーム時間がかかり、全面の更新時間も対応して７フレーム時間より多いまたは少ないものとすることができる。更新の各フレームは、ディスプレイの全てのラインを走査するため、例えば５ｍｓ−４０ｍｓの継続期間を有することができる。
【００５７】
第１のフレーム時間において、２つのディスプレイの上半分にだけに動作があり、このときライン１からライン４８０まで走査される。次のフレーム時間において、ディスプレイの上半分は、ライン１からライン４８０までもう一度走査される。さらに、この時に、ディスプレイの下半分は、ライン４８１からライン９６０まで走査される。したがって、図５のこの例では、現在の更新フレームが下半分において、アサートされ始めると直ちに、新たな更新フレームが上半分において、開始される。さらに、ライン４８１への第１の更新は、ライン４８０への第１の更新の直後に起きる。したがって、有利なことに、２つの半面の間のディスプレイに更新による不連続はなく、２つの半分のディスプレイの間に視覚できるような接合の効果または色調の相違はほとんどまたは全くないような滑らかな更新が見られるようになる。
【００５８】
更新プロセスは、ディスプレイの両方の半分が同時に更新されるが、ディスプレイの下半分については上半分から実質的に１フレーム時間だけ遅れるように継続する。これによって、ディスプレイの上半分は、その更新を下半分より１フレーム時間先に完了することになる。更新は、ディスプレイの下半分を最後に走査することによって、完了する。本実施形態におけるライン４８１に対する第ｎ番目の更新が常にライン４８０の第ｎ番目の更新の直後に起こる点に注意されたい。
【００５９】
当業者は、一般的に、本実施例におけるディスプレイの半分についての４８０ラインの選択は結局は任意であり、より一般には、ディスプレイの第２の駆動される半分の第１のラインへの第ｎ番目の更新は、常にディスプレイの第１の駆動される半分の最後のラインに対する第ｎ番目の更新の直後に起こることを認めるであろう。
【００６０】
したがって、ディスプレイ全面の更新の第１フレーム時間にはディスプレイの上半分だけが物理的に更新され、ディスプレイ全面の更新の最後のフレーム時間にはディスプレイの下半分だけが物理的に更新され、他の技術と比較すると全面の更新時間を１フレーム時間だけ延長する。
【００６１】
したがって、ディスプレイの各半分のための全面の更新時間はこの実施形態における擬似モノリシックスキームの実施によっては変わらないが、ディスプレイの下半分の走査が開始するのが１フレーム遅れるため、全ディスプレイの更新時間は１フレーム時間だけ延長される。
【００６２】
上記の観点において、本実施形態における全てのラインの走査は同じ方向に実行され、ディスプレイ媒体またはその下にあるバックプレーンのいかなる非対称の特性に起因するいかなるディスプレイ効果も、有利なことに発現されないことができる。
【００６３】
以下には、それぞれが実施形態において、任意に実行され、好ましくは本発明の１つ以上のいかなる態様とも組み合わせることができる構成を記載する。実施形態において、実現されるときに、上記の態様の要素と構成の要素の間の直接の対応関係が存在し、例えば、下記の電子ペーパーディスプレイ画面、バックプレーン領域、ライン、画素、その他は、上記の本発明の態様において、特定された、ディスプレイ、領域、ライン、画素、その他にそれぞれ対応する。
【００６４】
１つの構成は、画素の複数のラインを含んでいる電子ペーパーディスプレイ画面に表示される画像を更新する方法を提供し、前記電子ペーパーディスプレイ画面は前記複数のラインのそれぞれのサブセットを駆動する複数のバックプレーン領域を含み、前記バックプレーン領域は第１の前記サブセットを駆動する第１の前記バックプレーン領域および第２の前記サブセットを駆動する第２の前記バックプレーン領域を少なくとも含み、前記更新は単一の画像更新を実行するように複数のフレームのそれぞれについて順番に前記画素を駆動することを含んでいる。上記方法は、前記複数のラインの一端から前記複数のラインの対向端まで前記複数のラインを走査すると共に第１の前記フレームに従い前記画素を駆動し、前記一端から前記対向端まで前記複数のラインを走査すると共に第２の前記フレームに従い前記画素を駆動し、第２のフレームに従い画素を駆動すると共に前記走査することは、第１のフレームに従い画素を駆動すると共に前記走査することが前記対向端に達する前に開始され、前記走査のそれぞれは、第１のバックプレーン領域を使用している第１のサブセットを走査し、そして、第２のバックプレーン領域を使用している第２のサブセットを走査することを含み、第２のサブセットは、第１のサブセットより前記対向端に近い。例えば、このような構成は、領域１の走査をフレーム１で開始し、完了すると、直ちに領域２をフレーム１で開始し、同時に、領域１をフレーム２で開始する。一端から対向端へのラインの走査は、個々のラインまたは１ラインより多い個々のサブセットを、順番に、すなわち連続して選択して、連続的に走査することを含むことができる。好ましくは、複数のあらゆるラインは、このような連続的な走査の間に、例えば順番に選ばれる。走査はラスタ走査であってもよく、または、例えば、各行（ライン）が走査されるときに同時に全ての列のアドレスを指定することもできる。
【００６５】
さらに、ラインの前記複数の一端からラインの前記複数の対向端までの各走査は、バックプレーン領域が分離されていないかのように、例えば、ディスプレイ画面が好ましくはモノリシックディスプレイ媒体層を駆動する唯一の統合されたバックプレーンを含むかのように実行されることができる。それゆえに、この方法は「擬似モノリシック」と称されることができる。１つの実施方法は、領域１をフレーム１で更新し、それを終えると、領域２をフレーム１、それを終えると、領域１をフレーム２、などでありえる。しかし、好適な実施方法は、第２の領域をフレームｎによって、更新しているが、第１の領域はフレームｎ＋１によって、更新している。
【００６６】
好ましくは、それぞれのバックプレーン領域により駆動されるサブセットは相互に排他的であり、すなわち、ラインは複数のサブセットの構成要素ではない。第１および第２のバックプレーン領域が全面パックプレーンのそれぞれの半分であるところでは、この方法は、第１の半分（例えば、図５に示すように擬似モノリシックモードがディスプレイの上端から下方へ動作している場合には、上部）を第２のフレームに従って更新を開始できるが、第２の半分（例えば、下部）は依然として第１フレームに従い駆動している。したがって、第１のフレームに従って駆動することは第２のフレームに従って駆動することを開始する前に終えることができないであろうので、２つの異なるフレームのデータまたは波形は連続したラインにそれぞれ適用されないという利益があることができる。したがって、更新による有利な結果は、別々のバックプレーン領域に由来する視覚的な効果を生じさせることなく全画面に単一の画像を更新できる。
【００６７】
複数のバックプレーン領域は、分割バックプレーンとみなすことができ、例えば、このような各領域は、それぞれがそれぞれのディスプレイパネルのバックプレーン、単一のディスプレイ媒体層を共通して駆動する少なくとも論理的に分割された全面パックプレーンの領域、少なくとも論理的に分割された全面パックプレーンの領域であって各領域がそれぞれの別々のディスプレイ媒体層を駆動するもの、または、全面パックプレーンを形成して単一のディスプレイ媒体層を共同で駆動する一組のバックプレーンの（サブ）バックプレーン、またはここで各（サブ）バックプレーンがそれぞれの別々のディスプレイ媒体層を駆動するものとみなすことができる。
【００６８】
実施方法は、２つの別々のディスプレイパネルが当接されて単一のパネルの効果を生成するデバイスに特に有利でありえる。したがって、この方法は、さらに、第１および第２のバックプレーン領域は物理的に別々であり、例えば、異なるディスプレイパネルに属するものを含むことができる。加えて、または代わりに、この方法は、前記第１および第２のバックプレーン領域はディスプレイ媒体の単一のモノリシック層を駆動し、すなわち、単一の媒体は、物理的におよび／または論理的に別々の２つの領域に共通であることを含むことができる。
【００６９】
ラインは、ディスプレイ画面の行または列であってもよく、当業者は、ディスプレイ画面のどの電極が行とされ、どれが列とされるかは任意であると認め、このことは、この明細書の全体にわたって行および列の参照に該当する。
【００７０】
フレームを駆動することは、メモリからフレームのデータを検索すること、データまたは対応する波形を適当なラインに適用することを含む。第１および第２のフレームは、または異なるデータ値または波形を有しても、有しなくてもよいが、好ましくは異なるフレームおよび／または異なるフレームアドレス時間（ＦＡＴ、各フレームの継続期間）を少なくとも意図するデータおよび／または波形を使用する。
【００７１】
第１および第２のサブセットは、実質的に隣接していてもよく、好ましくは前記一端から前記対向端まで該走査の方向または場所に沿って実質的に整列される。（「実質的に」は、この明細書の全体にわたって、ほぼ、好ましくは正確にという意味である。）。したがって、第１および第２のサブセットは、走査の全体的な方向に配置され、またはそれに沿って整列されることができ、例えば、実質的に平坦で線形のディスプレイ画面の場合には、両方のサブセットは単一の同じ方向にて走査されることができる。換言すれば、画像が両方のサブセットを使用して表示されるときに、画像の連続が達成されるように、サブセットは隣接し、すなわち、表示された画像には実質的にギャップがない。サブセットの対向する（すなわち、向かい合う）端は、好ましくは実質的に平行であるが、非線形、すなわち湾曲している画面の場合、画面が平坦な場合であってもサブセットは完全に平行にはならないことがある。
【００７２】
同様に、第１および第２のバックプレーン領域は、隣接しないことがあり、例えば、さらなるバックプレーン領域によって、切り離され、第１および第２のバックプレーン領域が全面パックプレーンの単なる端部領域であるようにすることができる。
【００７３】
電子ペーパーディスプレイは、電気泳動ディスプレイ媒体を含むことができ、例えば、電子ペーパー（Ｅペーパー）を含むことができる。しかし、他の種類のディスプレイ媒体も使用することができ、例えば、ディスプレイはエレクトロウェッティングを使用して生成されるタイプでありえる。
【００７４】
他の構成は、画素の複数のラインおよび前記複数のラインのそれぞれのサブセットを駆動する複数のバックプレーン領域を含む電子ペーパーディスプレイ画面を提供し、前記バックプレーン領域は第１の前記サブセットを駆動するための第１の前記バックプレーン領域および第２の前記サブセットを駆動するための第２の前記バックプレーン領域を少なくとも含み、電子ペーパーディスプレイ画面は複数のフレームのそれぞれに従って前記画素を順番に駆動するように構成されるドライバを含み、前記電子ペーパーディスプレイ画面に表示される画像の単一の画像更新を実行する。上記の電子ペーパーディスプレイ画面は、前記複数のラインの一端から前記複数のラインの対向端まで前記複数のラインを走査すると共に第１の前記フレームに従って前記複数のラインを駆動し、前記複数のラインの一端から前記複数のラインの対向端まで前記複数のラインを走査すると共に第２の前記フレームに従って前記複数のラインを駆動するように構成された前記ドライバを含み、前記ドライバは、第１のフレームに従って画素を駆動すると共に前記走査が前記対向端に到達する前に、第２フレームに従って画素を駆動すると共に前記走査を開始するように構成され、前記走査のそれぞれは、第１のバックプレーン領域を使用している第１のサブセットを走査し、そして、第２のバックプレーン領域を使用している第２のサブセットを走査することを含み、第２のサブセットは、前記対向端に第１のサブセットより近い。
【００７５】
このような電子ペーパーディスプレイ画面の第１および第２のバックプレーン領域は、物理的に別々でもよい。
【００７６】
第１および第２のバックプレーン領域は、ディスプレイ媒体の単一のモノリシック層を駆動できる。
【００７７】
第１および第２のサブセットは、実質的に隣接していてもよく、好ましくは実質的に前記一端から前記対向端までの該走査の方向または場所に沿って整列する。
【００７８】
前記第１および第２のサブセットの最も近いラインは、実質的に平行でもよい。
【００７９】
電子ペーパーディスプレイは、電気泳動ディスプレイ媒体を含むことができる。
【００８０】
電子文書リーダーは、電子ペーパーディスプレイ画面を含むことができる。
【００８１】
記憶媒体は、上記の方法を実行することが操作可能になるようにプログラム可能な処理装置をプログラムするコンピュータプログラム命令を格納して提供されたものであってもよい。
【００８２】
信号は、上記の方法を実行するように操作可能になるようにプログラム可能な処理装置をプログラムするコンピュータプログラム命令を運ぶことができる。
【００８３】
例えば、コンピュータプログラム命令を運ぶコンピュータプログラムまたは信号を格納する上記の記憶媒体の実施方法は、上記の方法を実装するプロセッサ制御コードを例えば組み込みプロセッサに提供する。
【００８４】
コードは、ディスク、ＣＤ−ＲＯＭまたはＤＶＤ−ＲＯＭ、例えば読出し専用メモリ（ファームウェア）またはスタティックＲＡＭ（ＳＲＡＭ）またはダイナミックＲＡＭ（ＤＲＡＭ）のようなプログラムされたメモリのような形態の記憶媒体のようなキャリアに、または光または電気信号のキャリアのようなデータキャリアに提供されることができる。上記の構成または実施を実現するコード（および／またはデータ）は、例えばＣのような従来の（インタープリタまたはコンパイル）プログラミング言語のソース、オブジェクトまたは実行コード、またはアセンブリコード、ＡＳＩＣ（特定用途向け集積回路）またはＦＰＧＡ（フィールド・プログラマブル・ゲート・アレイ）をセットアップするかまたは制御するためのコード、またはハードウェア記述言語（例えばＶｅｒｉｌｏｇ、商標）またはＶＨＤＬ、超高速集積回路設計用ハードウェア記述言語のためのコードを含むことができる。当業者は、このようなコードおよび／またはデータは、お互いに通信して複数の結合された構成要素の間で分配されることができることを認めるであろう。
【００８５】
有利なことに、上記の構成は、複数の領域のための画像に対する視覚的な効果をそれぞれ減らすかまたは除去することができ、例えば、２つのバックプレーン領域は互いに当接されて隣接し、これらの領域間の接合の存在は、さもなければ画像を見ているユーザによって、直ちに検知されるであろう。このような利益は、第１の領域の画素を駆動した後に第１のフレームに従った駆動が第２の領域の画素の駆動を始めるときに、第２のフレームに従った駆動が開始するところで向上させるものであってもよい。好ましくは、第１および第２のフレームに従う駆動は同期したものであり、予め定められた時間間隔は、第１のフレームに従う駆動と第２のフレームに従う駆動の間に起こり、同様に、例えば、第２および第３のフレームの間のようないかなるさらなるフレームについても起こるようである。
【００８６】
〔他の更新スキーム〕
本発明を理解するために、以下は２つのディスプレイが更新される４つの他の方法を記載する。全ての場合において、両方のディスプレイのライン走査は同時に起こり、一般に擬似モノリシック更新の実施形態に該当しない。
【００８７】
図１に示すように、これらの他のディスプレイ更新モードの第１の一組は、「シャッタを上げる／降ろす」原則に作用する。これらの選択肢において、ディスプレイの両方の半面は、同時に更新を始める。「シャッタを上げる」モードは、ディスプレイのそれぞれの下半面から更新を始める。「シャッタを降ろす」モードは、ディスプレイのそれぞれの上半面から更新を始める。
【００８８】
図２に示すように、これらの他のディスプレイ更新モードの第２の一組は、「カーテンを開く／閉じる」原則に作用する。これらの選択肢においても、ディスプレイの両方の半面は同時に更新を始める。しかし、「カーテンを開く」モードは、全面ディスプレイの中央から更新を始めて、ディスプレイの端に向けて外向きに走査する。「カーテンを閉じる」モードは、全面ディスプレイの外側の端から更新し始めて、内向きに走査する。
【００８９】
これらのシャッタ／カーテンモードのいずれにおいても、例えば５ｍｓから４０ｍｓのような比較的長いフレーム時間によって、おそらく悪化する不連続は、下記のようにビューアに見えるであろう。
【００９０】
これらの他のスキームのうちの２つにより詳細に注目することにすると、図３はシャッタを降ろすモードにおいて、ディスプレイの半面が更新される順序を示している。ライン１（ディスプレイの上半面の上端）は、ライン４８１（ディスプレイの下半面の上端）と同時に更新される。同様に、ライン４８０（ディスプレイの上半面の下端）はライン９６０（ディスプレイの下半面の下端）と同時に更新される。したがって、２つの半面の対応するラインは、同時に更新される。さらに、前のフレームが終わるまで各フレームは開始されない。したがって、第１のフレームに従うライン４８０の走査は、第２のフレームに従うライン４８１の走査に直ちに続けられる。単一のフレームの範囲内で、いかなる２つの隣接したラインへの書き込みの間の遅延も一般にラインアドレス時間（ＬＡＴ）であり、４８０行の半分のディスプレイを有する実施形態においてはＦＡＴの１／５００になるであろう。しかし、ディスプレイの半面を走査するのにかかる時間、例えば５ｍｓから４０ｍｓのようなフレームアドレス時間に例えばわずかに足りないような時間にほぼ等しい遅延が、ライン４８０および４８１を更新する間に起こることがある。したがって、フレーム移行は、隣接した画素の間で起こる。２つの半面の並行した更新は、全ての更新を完了するフレーム時間の該当する数の間にわたって継続される。
【００９１】
したがって、シャッタを上げるまたは降ろすスキームは、ディスプレイ更新の間に、例えばリーダーの２つの半面のようなディスプレイの部分の間に顕著な不連続を示すことがある。人間の目は、並行して更新される半面の間に生じる違いを検知することができ、特に半面が接続する隣接ラインについてはそうであり、このことはエンドユーザを当惑させることがある。
【００９２】
図４は、ディスプレイの２つの半面がカーテンを開くモードにおいて、更新される順序を示している。ライン４８０（ディスプレイの上半分の下端）は、ライン４８１（ディスプレイの下半分の上端）として同時に更新される。同様に、ライン１（ディスプレイの上半分の上端）はライン９６０（ディスプレイの下半分の下端）として同時に更新される。この鏡像更新は、全ての更新を完了するフレーム時間の該当する数の間にわたって続く。
【００９３】
したがって、カーテンを開くまたは閉じるモードは、その対称性のため、シャッタを上げるまたは降ろすモードより視覚的に快適であることがある。
【００９４】
しかし、カーテンを開く／下ろすというアプローチは、例えば上下の半面のように、反対方向に実行されるリーダーの異なる部分の走査によって、望ましくないディスプレイの効果を引き起こすことがある。例えば、異なる方向には、全面ディスプレイ画面にわたる組織的な色調の変化が現れることがある。画素の配置が非対称なところでは、このことはディスプレイの半面の異なる寄生的な動作を生じることがある。例えば、密な間隔のゲート電極は各画素の中央から整合してオフセットされ、各ラインに対する走査電圧の印加はその周辺に不均等なに影響を及ぼすことがある。走査が第１の方向に起こる半分の位置では各ラインは隣接する走査されたラインの影響を効果的に上書きすることができ、走査が反対方向に起きる他の半分の位置ではこのような重ね書きは起こらないことがある。色調の変化は異なる半面の間に生じることがあり、例えば、１つの半面が他の暗い半面より明るいことがある。このような色調の変化、例えば段階的に白くなることは、複数のフレームを含む画像更新の間にさらに蓄積することがある。
【００９５】
疑いなく、当業者は多くの他の効果的な選択肢を有しているであろう。本発明は記載された実施形態に限られるものではなく、本願明細書に添付の請求項の範囲および精神内において、当業者にとって明らかな変更態様を含むと理解される。
【図１】
0005894990.tif 000002
【図２】
0005894990.tif 000003
【図３】
0005894990.tif 000004
【図４】
0005894990.tif 000005
【図５】
0005894990.tif 000006
【図６（ａ）】
0005894990.tif 000007
【図６（ｂ）】
0005894990.tif 000008
【図６（ｃ）】
0005894990.tif 000009
【図７】
0005894990.tif 000010
【図８】
0005894990.tif 000011
【図９】
0005894990.tif 000012
【図１０】
0005894990.tif 000013